(57)【要約】【課題】DVDからハードディスクへのデータのダビングに要する時間を短縮し、ユーザの使い勝手を向上させたHD付きDVD再生装置を提供する。【解決手段】ダビングキーが押下されると、MPU１０５は、DVD１００に記録されているデータの記録形式がDVD−VIDEOフォーマットであって高速ダビングが選択されているかどうかを判定する。DVD−VIDEOフォーマットであって高速ダビングが選択されている場合、MPU１０５はDVD１００のデータをDVD−VIDEOフォーマットのまま第１の記憶領域１２１Aにダビングする（S５）。ここで、DVD１００の記録時間が１０時間であれば、データの記録形式を変換するダビングには、１０時間が必要となる。しかし、S５におけるダビングは記録形式を変換しないダビングである。そのため、データをそのままHDD１２０に転送するだけで良く、S５のダビングに要する時間は１時間程度で済む。【選択図】  図２
2008084463.tif 000002
【特許請求の範囲】
【請求項１】
ドライブ装置本体にセットされているDVDからデータを読取るDVDドライブと、
ハードディスクと、を備えるHD付きDVD再生装置において、
前記ハードディスクは、DVD−VIDEOフォーマットのデータを記憶させるための第１の記憶領域と、その領域とは別領域を形成する第２の記憶領域と、を有し、
メッセージを表示する表示手段と、
前記DVDから前記ハードディスクへのデータのダビングが指示されると、前記ダビングの速度を第１の速度とするか該第１の速度より高速の第２の速度とするかを選択することを促す選択メッセージを前記表示手段に表示し、さらに、前記DVDからデータを読取るよう前記DVDドライブに指示する記録読取手段と、
前記ダビングの速度を第１の速度とするか前記第２の速度とするかを選択するための選択手段と、を備え、
前記記録読取手段は、
（A）前記DVDのデータの記録形式が前記DVD−VIDEOフォーマットであって、前記選択手段において前記第２の速度が選択されている場合、前記DVDドライブが読取ったデータを前記DVD−VIDEOフォーマットのまま前記第１の記憶領域に記録し、
（B）前記DVDのデータの記録形式が前記DVD−VIDEOフォーマットであって、前記選択手段において前記第１の速度が選択されている場合、前記DVDドライブが読取ったデータを前記VRフォーマットに変換しつつ前記第２の記憶領域に記録し、
（C）上記（A）の実行後の所定時刻になると、前記ハードディスクの前記第１の記憶領域に記録したデータを、前記VRフォーマットに変換しつつ前記第２の記憶領域に記録するHD付きDVD再生装置。
【請求項２】
ドライブ装置本体にセットされているDVDからデータを読取るDVDドライブと、
ハードディスクと、を備えるHD付きDVD再生装置において、
前記ハードディスクは、DVD−VIDEOフォーマットのデータを記憶させるための第１の記憶領域と、その領域とは別領域を形成する第２の記憶領域と、を有し、
前記DVDから前記ハードディスクへのデータのダビングが指示されると、前記DVDからデータを読取るよう前記DVDドライブに指示する記録読取手段と、
前記ダビングの速度を第１の速度とするか該第１の速度より高速の第２の速度とするかを選択するための選択手段と、を備え、
前記記録読取手段は、
（A）前記DVDのデータの記録形式が前記DVD−VIDEOフォーマットであって、前記選択手段において前記第２の速度が選択されている場合、前記DVDドライブが読取ったデータを前記DVD−VIDEOフォーマットのまま前記第１の記憶領域に記録し、
（B）前記DVDのデータの記録形式が前記DVD−VIDEOフォーマットであって、前記選択手段において前記第１の速度が選択されている場合、前記DVDドライブが読取ったデータを前記VRフォーマットに変換しつつ前記第２の記憶領域に記録するHD付きDVD再生装置。
【請求項３】
メッセージを表示する表示手段を備え、
前記記録読取手段は、前記DVDから前記ハードディスクへのデータのダビングが指示されると、前記ダビングの速度を前記第１の速度とするか前記第２の速度とするかを選択することを促す選択メッセージを前記表示手段に表示する請求項２に記載のHD付きDVD再生装置。
【請求項４】
前記記録読取手段は、上記（A）の実行後の所定時刻になると、前記ハードディスクの前記第１の記憶領域に記録したデータを、前記VRフォーマットに変換しつつ前記第２の記憶領域に記録する請求項２又は３に記載のHD付きDVD再生装置。
【発明の詳細な説明】
【技術分野】
【０００１】
本発明は、DVD（Digital Versatile Disk）からデータを読取るDVDドライブと、ハードディスクに対しデータの記録および記録されているデータの読取を行うハードディスクドライブと、を備えるHD付きDVD再生装置に関するものである。
【背景技術】
【０００２】
従来より、DVDからデータを読取るDVDドライブと、ハードディスク（以下、「HD」と称する）に対しデータの記録および記録されているデータの読取を行うハードディスクドライブ（以下、「HDD」と称する）と、を備えるHD付きDVD再生装置がある。HD付きDVD再生装置は、例えばHD付きDVDプレーヤ、又はHD付きDVDレコーダである。
【０００３】
このようなHD付きDVD再生装置では、DVD−VIDEOフォーマットのDVDからハードディスクへのデータのダビングを行う場合、両者の記録形式が異なるため、DVDに記録されているデータをDVD−VIDEOフォーマットからVR（VideoRecording）フォーマットに変換しつつHDにダビングするダビング方法が一般的である。ここで、DVD−VIDEOフォーマットは、再生専用のフォーマットであり、記録後に編集不可能なフォーマットである。また、VRフォーマットは、記録後に編集可能なフォーマットである。
一方、情報記録再生装置が提案されている（特許文献１参照）。
【特許文献１】特開２００５−２７６３８９公報
【発明の開示】
【発明が解決しようとする課題】
【０００４】
しかしながら、データの記録形式を変換するダビングには、DVDの記録時間分だけ時間が必要となる。例えば、DVDの記録時間が１０時間であれば、データの記録形式を変換するダビングには、１０時間が必要となる。
そのため、ユーザが早くダビングしてDVDをすぐに取出したいと考えてDVDをDVDドライブにセットしても、ユーザはその記録時間の間待たされることになる。従って、上記従来のHD付きDVD再生装置では、ユーザの使い勝手が悪いという問題があった。
【０００５】
本発明はこのような従来の課題を解決しようとするものであり、DVDからハードディスクへのデータのダビングに要する時間を短縮し、ユーザの使い勝手を向上させたHD付きDVD再生装置を提供することを目的とする。
【課題を解決するための手段】
【０００６】
本発明のHD付きDVD再生装置は、前記課題を解決するために以下の構成を備えている。
【０００７】
（１）ドライブ装置本体にセットされているDVDからデータを読取るDVDドライブと、
ハードディスクと、を備えるHD付きDVD再生装置において、
前記ハードディスクは、DVD−VIDEOフォーマットのデータを記憶させるための第１の記憶領域と、その領域とは別領域を形成する第２の記憶領域と、を有し、
前記DVDから前記ハードディスクへのデータのダビングが指示されると、前記DVDからデータを読取るよう前記DVDドライブに指示する記録読取手段と、
前記ダビングの速度を第１の速度とするか該第１の速度より高速の第２の速度とするかを選択するための選択手段と、を備え、
前記記録読取手段は、
（A）前記DVDのデータの記録形式が前記DVD−VIDEOフォーマットであって、前記選択手段において前記第２の速度が選択されている場合、前記DVDドライブが読取ったデータを前記DVD−VIDEOフォーマットのまま前記第１の記憶領域に記録し、
（B）前記DVDのデータの記録形式が前記DVD−VIDEOフォーマットであって、前記選択手段において前記第１の速度が選択されている場合、前記DVDドライブが読取ったデータを前記VRフォーマットに変換しつつ前記第２の記憶領域に記録する。
【０００８】
この構成において、HD付きDVD再生装置は、例えばHD付きＤＶＤレコーダ又はHD付きＤＶＤプレーヤである。また、ダビングは、データの移動とデータの複製とを含む概念である。ユーザは、高速ダビングとするか低速ダビングとするかを選択手段で予め選択する。
ここで、例えばDVDの記録時間が１０時間であれば、データの記録形式を変換するダビングには、１０時間が必要となる。
しかし、上記（A）におけるダビングは記録形式を変換しないダビングである。そのため、データをそのままHDに転送するだけで良く、上記（A）のダビングに要する時間は１時間程度で済む。
以上より、DVDからHDへのデータのダビングに要する時間を短縮することができる。即ち、ユーザを待たせる時間が短縮する。これにより、ユーザは早くダビングしてDVDをすぐに取出すことができる。従って、ユーザの使い勝手を向上することができる。
また、ダビング速度を高速とするか低速とするか、をユーザが自分の使用方法に応じて選択できるため、ユーザの使い勝手を向上させる。
【０００９】
（２）メッセージを表示する表示手段を備え、
前記記録読取手段は、前記DVDから前記ハードディスクへのデータのダビングが指示されると、前記ダビングの速度を前記第１の速度とするか前記第２の速度とするかを選択することを促す選択メッセージを前記表示手段に表示する。
【００１０】
この構成において、選択メッセージは、例えば「高速ダビングとするか低速ダビングとするかを選択して下さい。」である。ユーザは、表示手段の選択メッセージを見て、高速ダビングとするか低速ダビングとするかを選択手段で選択する。
このように、選択メッセージを表示手段に表示するので、ユーザがダビング速度の選択の必要性を認識する。
【００１１】
（３）前記記録読取手段は、上記（A）の実行後の所定時刻になると、前記ハードディスクの前記第１の記憶領域に記録したデータを、前記VRフォーマットに変換しつつ前記第２の記憶領域に記録する。
【００１２】
この構成において、所定時刻は、ユーザが装置本体を使用しない時間帯に設定すれば良く、例えば深夜の時間帯に属する時刻である。
これにより、第１の記憶領域が空き、次回の高速ダビングに備えることができる。また、ユーザが装置本体を使用しない深夜の時間帯等に第２の記憶領域へダビングするので、ユーザを待たせない。従って、ユーザの使い勝手を一層向上することができる。
なお、上記（A）の実行後から所定時刻までは、電源オンを待ち受けるスタンバイ状態で装置本体１を待機させておくことが望ましい。
【発明の効果】
【００１３】
この発明によれば、DVDからHDへのデータのダビングに要する時間を短縮することができる。即ち、ユーザを待たせる時間が短縮する。これにより、ユーザは早くダビングしてDVDをすぐに取出すことができる。従って、ユーザの使い勝手を向上することができる。
また、ダビング速度を高速とするか低速とするか、をユーザが自分の使用方法に応じて選択できるため、ユーザの使い勝手を向上させる。
【発明を実施するための最良の形態】
【００１４】
以下、本発明の実施形態であるHD付きDVD再生装置について説明する。
【００１５】
図１は、本発明の実施形態であるHD付きＤＶＤレコーダの構成を示すブロック図である。HD付きＤＶＤレコーダ１は、入力されたデータを所定の情報記憶媒体に記録し、再生指示に応じて既に記録されているデータを再生する記録再生部１０４と、録画指示に応じて記録再生部１０４への記録と記録再生部１０４からの再生と以下に説明する各部の動作とを制御するマイクロコンピュータ（ＭＰＵすなわち主制御装置）１０５と、を備える。
【００１６】
記録再生部１０４は、DVD１００に、（放送番組等の）データの記録及び再生が可能なDVDドライブ１１８と、大容量データを記録可能なＨＤ（ハードディスク）１２１を内蔵するＨＤＤ（ハードディスクドライブ）１２０と、データプロセッサ１１９と、を備える。
なお、DVD１００は、例えばＤＶＤ−ＲOM、ＤＶＤ−Ｒ、ＤＶＤ−ＲW、又はＤＶＤ−ＲＡＭとする。
【００１７】
DVDドライブ１１８は、ドライブ装置本体１１８にセットされているDVD１００にピックアップヘッド（以下、「ＰＵヘッド」称する。不図示）からレーザ光を照射し、DVD１００からデータを読取る。
【００１８】
一方、ＨＤＤ１２０は、HD１２１及び磁気ヘッド（不図示）等を内蔵し、該磁気ヘッドを用いることにより、HD１２１に対してデータの記録および記録されているデータの読取を行う。
【００１９】
データプロセッサ１１９は、HD１２１又はDVD１００から読取られたデータの一定量を一時的に保持可能なバッファメモリ１１９aを有する。
データプロセッサ１１９は、ＭＰＵ１０５の制御に従って、エンコーダ部１０３から出力された記録データをDVDドライブ１１８に供給したり、DVD１００の再生信号をDVDドライブ１１８から取り込み、デコーダ部１０６に供給したりする。
また、データプロセッサ１１９は、ＭＰＵ１０５の制御に従って、エンコーダ部１０３から出力された記録データをＨＤＤ１２０に供給したり、ＨＤＤ１２０からの再生信号をデコーダ部１０６に供給したりする。
また、データプロセッサ１１９は、ＭＰＵ１０５の制御に従って、DVDドライブ１１８から出力されたデータをＨＤＤ１２０に供給したり、ＨＤＤ１２０から出力されたデータをDVDドライブ１１８に供給したりする。
さらに、データプロセッサ１１９は、ＭＰＵ１０５の制御に従って、DVD１００又はHD１２１に記録されたデータを書替えたり、記録されたデータの削除を行う。
【００２０】
ＡＶ入力端子１０１は、記録対象である映像信号や音声信号等を装置本体１外部から入力し、接続されているエンコーダ部１０３に出力する。
チューナ１０２は、テレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。
エンコーダ部１０３は、ＡＶ入力端子１０１又はチューナ１０２から入力された映像信号や音声信号を（例えばＭＰＥＧ２で）エンコードして圧縮し、記録データとして、データプロセッサ１１９に出力する。
【００２１】
デコーダ部１０６は、記録再生部１０４から出力された再生信号をデコードして伸長する。デコーダ部１０６には、デコードされた再生信号を、テレビ等の再生装置に供給するためのＡＶ出力端子１０７が接続されている。
【００２２】
タイマーマイコン１０９は、HD付きＤＶＤレコーダ１の時間管理に利用されるタイマー回路（時計ユニット）１０９ａを有している。タイマーマイコン１０９には、ユーザからの操作（指示）を受け付けるユーザ操作入力部１１０が接続されている。
【００２３】
また、ＭＰＵ１０５には、装置本体１の動作状態を表示する表示部１０８と、制御プログラム等を記憶するメモリ１１１と、この制御プログラムで処理するデータ等を展開するワークフィールドとしてのRAM１１２と、が接続されている。メモリ１１１は、例えばEEPROM、又はROMである。
【００２４】
ＭＰＵ１０５は、高速且つ小容量のレジスタ１０５aを内蔵する。ＭＰＵ１０５は、メモリ１１１に記憶されている制御プログラムに従い、DVD１００に対するデータの記録、読取及び削除と、ユーザ操作入力部１１０を介して入力された録画操作に対応する録画動作と、表示部１０８を用いた表示動作と、等を制御する。
また、ＭＰＵ１０５は、DVDドライブ１１８又はＨＤＤ１２０からDVD１００又はハードディスク１２１の管理情報を取得する。これにより、ＭＰＵ１０５は、DVD１００およびＨＤＤ１２０が内蔵するHD１２１のデータ量、空き容量、データの記録形式を確認する。
ユーザ操作入力部１１０は、録画キー、再生キー、DVD１００からHD１２１へのダビングを指示するためのダビングキー、ダビングを低速ダビングとするか高速ダビングとするかを選択するための選択キー及びその他の操作キーを有しており、これらのキー操作に応じた制御信号をＭＰＵ１０５に伝送する。ユーザは、これらのキー操作により、録画、および再生等が可能である。
また、ユーザ操作入力部１１０は、図示しないリモコン（リモートコントロール端末）から送信された制御信号を受信するデータ受信部１１０aを有する。
【００２５】
表示部１０８は、例えばモニターである。表示部１０８は、ダビングを低速ダビングとするか高速ダビングとするかを選択することを促す選択メッセージを表示する。
【００２６】
なお、低速ダビングの速度が、本発明の「第１の速度」に相当する。高速ダビングの速度が、本発明の「第２の速度」に相当する。
【００２７】
ここで、HDD１２０（HD１２１を除いた記録読取機構）、RAM１１２、タイマーマイコン１０９、データプロセッサ１１９及びＭＰＵ１０５が、本発明の「記録読取手段」に相当する。
【００２８】
図２は、ハードディスク１２１の記憶領域を示す図である。ハードディスク１２１は、DVD−VIDEOフォーマットのデータを記憶させるための第１の記憶領域１２１Aと、その領域とは別領域を形成する第２の記憶領域１２１Bと、に分かれている。第２の記憶領域１２１Bは、通常の録画番組などを保存するための領域である。
【００２９】
図３は、ＤＶＤ−Ｖideoフォーマットで記録されたDVD上のデータのデータ構造を示す図である。ＤＶＤ−Ｖideoフォーマットで記録されたDVD１００上には、図３Ａに示すように、その内周から外周にかけてVMGI９５、VMGM_VOBS９６、VMGIbup９７、タイトル１００１〜１００３が記録されている。
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。
VMGM_VOBS(Video  Object  Set  for  VMG  Menu)９６には、タイトルメニューで使用するコンテンツが記述されている。また、ここには、ＶＴＳＩのアドレス情報等を含むＤＶＤ−Ｖideo全体の再生関連情報（制御情報）が記述される場合もある。
VMGIbup９７は、VMGI９５のバックアップファイルである。
以下、ＶＭＧと言う時は、VMGI９５又はVMGM_VOBS９６を指す。
【００３０】
また、タイトル１００１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図３Ａ参照）。ＤＶＤ−Ｖideoフォーマットでは、最大９９タイトルまで収録が可能である。図３Ａでは、３タイトル収録されている。
【００３１】
ＶＴＳＩ１００２には、そのＶＴＳに対する制御情報が記述されている。
ＶＯＢＳ１００３には、タイトル再生のためのコンテンツが記述されている。該ＶＯＢＳ１００３には、図３Ｂに示すように、複数のセル１０１０〜１０１９から構成されている。
なお、ＶＯＢＳとＶＴＳとは、同じものを表す。
【００３２】
ＶＴＳＩbup１００４には、ＶＴＳＩ１００２のバックアップファイルが記述されている。
ＤＶＤ−Ｖideoフォーマットにおいて、データは、予め決められたセル単位で記録される。
セル１０１０は、複数のＶＯＢＵ（Ｖideo  Ｏbject  Ｕnit）１０２０〜１０２９で構成される（図３Ｃ参照）。１タイトルのセルの最大数は２５５セルである。そのため、DVDに１０時間分のデータを記録する場合、１セルは、例えば２分３０秒である。
ＶＯＢＵ１０２０には、先頭にＮＶ＿ＰＣＫ（Ｎavigatyion  Ｐack）１０３０が置かれ、続いてビデオデータやオーディオデータ（ＡＶデータ）などがパック化されて挿入される（図３D参照）。
ここで、現在のＶＯＢＵを記録するのに、現在のＶＯＢＵの後に記録する他の複数個のＶＯＢＵの先頭アドレスやセルの再生時間などを、現在のＶＯＢＵ中のＮＶ＿ＰＣＫに書き込必要がある。
ＤＶＤ−Ｖideoフォーマットにおいて、データは、前から順番に、例えると一筆書きのように記録される。そのため、ＤＶＤ−Ｖideoフォーマットにおいて、記録後編集を行うことはできない。
【００３３】
図４は、ＶＲ（Video Recording）フォーマットで記録されたDVD上のデータのデータ構造を示す図である。ＶＲフォーマットで記録されたDVD１００上のデータのデータ構造は、ＤＶＤ−Ｖideoフォーマットで記録されたDVD１００上のデータのデータ構造（図３A参照）と比べ、図４に示すように、VMGI９５、VMGM_VOBS９６、及びVMGIbup９７の配置に関して共通している。
しかし、図３A及び図４に示すように、タイトルの配置に関しては異なっている。図３Aでは、「ＶＴＳＩ、ＶＯＢＳ、及びＶＴＳＩbup」がセットになっているのに対し、図４では、セットになっていない。図４では、「ＶＴＳＩ、ＶＯＢＳ、及びＶＴＳＩbup」はそれぞれ分離されて配置されている。
ＶＲフォーマットにおいて、データは、記録後編集を行うことができる。
なお、ＶＲフォーマットにおいて、セル１０１０〜１０１９、ＶＯＢＵ１０２０〜１０２９、ＮＶ＿ＰＣＫ１０３０及びビデオ／オーディオパック１０３１は、図示していないが、ＤＶＤ−Ｖideoフォーマットで記録されたDVD１００上のデータのデータ構造（図３Ａ参照）と同様の構造で存在している。
【００３４】
図５は、本発明の実施形態であるHD付きＤＶＤレコーダのＭＰＵが行う動作を示すフローチャートである。この動作は、DVD１００からHD１２１へのダビングが指示された時の動作である。
【００３５】
ユーザ操作入力部１１０のダビングキーが押下されると、MPU１０５は、DVD１００に記録されているデータの記録形式がDVD−VIDEOフォーマットであるか否かを判定する（S１）。この判定は、DVD１００から管理情報を取得し、その情報を参照することにより行われる。
【００３６】
記録形式がDVD−VIDEOフォーマットでないと判定すると、つまり、VRフォーマットであると判定すると、MPU１０５は、DVD１００のデータを第２の記憶領域１２１Bにダビングし（S２）、本処理を終了する。S２について詳述すると、MPU１０５は、DVD１００からデータを読取るようDVDドライブ１１８に指示する。そして、MPU１０５は、DVDドライブ１１８が読取ったデータをVRフォーマットのまま第２の記憶領域１２１Bに記録するようHDD１２０に指示する。
【００３７】
一方、S1において記録形式がDVD−VIDEOフォーマットであると判定すると、MPU１０５は、高速ダビングとするか低速ダビングとするかを選択することを促す選択メッセージを表示部１０８に表示する（S３）。選択メッセージは、例えば「高速ダビングとするか低速ダビングとするかを選択して下さい。」である。ユーザは、表示部１０８の選択メッセージを見て、高速ダビングとするか低速ダビングとするかをユーザ操作入力部１１０の選択キーで選択する。
【００３８】
このように、ダビング速度を高速とするか低速とするか、をユーザが自分の使用方法に応じて選択できるため、ユーザの使い勝手を向上させる。また、S３のように選択メッセージを表示部１０８に表示するので、ユーザがダビング速度の選択の必要性を認識する。
【００３９】
そして、MPU１０５は、ユーザ操作入力部１１０において高速ダビングが選択されているかどうかを判定する（S４）。
【００４０】
ユーザ操作入力部１１０において高速ダビングが選択されていると判定すると、MPU１０５は、DVD１００のデータをDVD−VIDEOフォーマットのまま第１の記憶領域１２１Aにダビングし（S５）、本処理を終了する。S５について詳述すると、MPU１０５は、DVD１００からデータを読取るようDVDドライブ１１８に指示する。そして、MPU１０５は、DVDドライブ１１８が読取ったデータをDVD−VIDEOフォーマットのまま第１の記憶領域１２１Aに記録するようHDD１２０に指示する。
【００４１】
ここで、DVD１００の記録時間が１０時間であれば、データの記録形式を変換するダビングには、１０時間が必要となる。しかし、S５におけるダビングは記録形式を変換しないダビングである。そのため、データをそのままHDD１２０に転送するだけで良く、S５のダビングに要する時間は１時間程度で済む。
【００４２】
以上より、DVD１００からハードディスク１２１へのデータのダビングに要する時間を短縮することができる。即ち、ユーザを待たせる時間が短縮する。これにより、ユーザは早くダビングしてDVDをすぐに取出すことができる。従って、ユーザの使い勝手を向上することができる。
【００４３】
一方、ユーザ操作入力部１１０において低速ダビングが選択されていると判定すると、MPU１０５は、DVD１００のデータをVRフォーマットに変換しつつ第２の記憶領域１２１Bにダビングし（S６）、本処理を終了する。
【００４４】
また、本発明の実施形態は、以下の変形例を採用することができる。
【００４５】
（第１変形例）
図６は、本発明の実施形態であるHD付きＤＶＤレコーダのＭＰＵが行う動作を示すフローチャートである。この動作は、図５のS５の後にS１７とS１８を追加した動作であり、その他の処理（S１〜S６）については同じである。
【００４６】
MPU１０５は、上記S５の実行後の所定時刻に（S１７）、ハードディスク１２１の第１の記憶領域１２１Aに記録したデータを、VRフォーマットに変換しつつ第２の記憶領域１２１Bにダビングする（S１８）。所定時刻は、ユーザが装置本体を使用しない時間帯に設定すれば良く、例えば深夜の時間帯に属する時刻である。MPU１０５は、この所定時刻をタイマーマイコン１０９によって知る。
これにより、第１の記憶領域１２１Aが空き、次回の高速ダビングに備えることができる。また、ユーザが装置本体１を使用しない深夜の時間帯に第２の記憶領域１２１Bへダビングするので、ユーザを待たせない。従って、ユーザの使い勝手を一層向上することができる。
【００４７】
なお、上記S５の実行後から所定時刻までは、電源オンを待ち受けるスタンバイ状態で装置本体１を待機させておくことが望ましい。即ち、スタンバイ時に、MPU１０５は、DVDドライブ１１８及びHDD１２０への電流供給を禁止する。スタンバイ状態では、タイマーマイコン１０９、ＭＰＵ１０５、RAM１１２、及びメモリ１１１のみに電源が供給されている。そして、MPU１０５は、所定時刻になった時、装置本体１の電源をオンする。
これにより、上記S５の実行後から所定時刻までの間、消費電力を抑えることができる。
【図面の簡単な説明】
【００４８】
【図１】本発明の実施形態であるHD付きＤＶＤレコーダの構成を示すブロック図
【図２】ハードディスク１２１の記憶領域を示す図
【図３】ＤＶＤ−Ｖideoフォーマットで記録されたDVD上のデータのデータ構造を示す図
【図４】ＶＲフォーマットで記録されたDVD上のデータのデータ構造を示す図
【図５】本発明の実施形態であるHD付きＤＶＤレコーダのＭＰＵが行う動作を示すフローチャート
【図６】本発明の実施形態であるHD付きＤＶＤレコーダのＭＰＵが行う動作を示すフローチャート
【符号の説明】
【００４９】
１−ＤＶＤレコーダ
１００−DVD
１０１−ＡＶ入力端子
１０２−チューナ
１０３−エンコーダ部
１０４−記録再生部
１０５−ＭＰＵ
１０６−デコーダ部
１０７−ＡＶ出力端子
１０８−表示部
１０９−タイマーマイコン
１１０−ユーザ操作入力部
１１１−メモリ
１１９−データプロセッサ
１２０−ＨＤＤ
１２１−ハードディスク
１２１A−記憶領域
１２１B−記憶領域
【図１】
2008084463.tif 000003
【図２】
2008084463.tif 000004
【図３】
2008084463.tif 000005
【図４】
2008084463.tif 000006
【図５】
2008084463.tif 000007
【図６】
2008084463.tif 000008